(57)【要約】【課題】２種類の異なる接続口径の搾乳器と連結することができるとともに、母乳保存袋に収集した通常１回の搾乳で搾乳された母乳を、母乳保存袋との連結を安定して保持できる搾乳器に用いるアダプター等を提供すること。【解決手段】本体部１４と、第１口径を有する第１接続部１１で、本体部の第１端に設けられ搾乳器及び母乳保存袋５０のいずれかに連結される第１接続部と、第１口径よりも大きい第２口径を有する第２接続部１２で、本体部の第２端に設けられ搾乳器及び母乳保存袋の他方に連結される第２接続部と、本体部の外面に位置し、母乳保存袋をアダプターに固定するクリップ３０が、本体部の第１端から本体部の長手方向に滑脱することを防止する第１保持構造１３とを備えるアダプター１０。【選択図】図１
2018139554.tif 000002
【特許請求の範囲】
【請求項１】
搾乳器に用いるアダプターであって、
中空の管状に形成される本体部と、
中空の管状に形成される第１口径を有する第１接続部であって、前記本体部の第１端に設けられ、搾乳器及び母乳保存袋のうちいずれか一方に連結される第１接続部と、
中空の管状に形成される前記第１口径よりも大きい第２口径を有する第２接続部であって、前記本体部の第２端に設けられ、搾乳器及び母乳保存袋のうちの他方に連結される第２接続部と、
前記本体部の外面に位置し、前記母乳保存袋を前記アダプターに固定するクリップが、前記本体部の第１端から前記本体部の長手方向に滑脱することを防止する第１保持構造と、
を備えることを特徴とするアダプター。
【請求項２】
前記第１保持構造は、第１接続部に近接して設けられる、
ことを特徴とする請求項１に記載のアダプター。
【請求項３】
前記第１接続部の外面に第１ネジが設けられ、及び／又は、前記第２接続部の外面に第２ネジが設けられる、
ことを特徴とする請求項１に記載のアダプター。
【請求項４】
前記第１保持構造は、前記本体部の外面に形成された突起である、
ことを特徴とする請求項１に記載のアダプター。
【請求項５】
前記突起は、前記外面の周方向に延びる連続的な凸条である、
ことを特徴とする請求項４に記載のアダプター。
【請求項６】
前記本体部の第１端の前記外面上には、並列に延びる前記凸条が２本設けられるとともに、前記クリップを保持するように、２本の前記凸条間の距離が前記クリップの幅に適応している、
ことを特徴とする請求項５に記載のアダプター。
【請求項７】
前記突起は、前記外面の周方向に延びる断続的な凸条に形成される、
ことを特徴とする請求項４に記載のアダプター。
【請求項８】
前記アダプターは、前記第１接続部の端口部から前記第２接続部の端口部まで延びる円錐台形状に形成される、
ことを特徴とする請求項１乃至７のうち何れか一項に記載のアダプター。
【請求項９】
前記第１保持構造は、さらに、前記母乳保存袋を前記アダプターに固定するクリップが、前記本体部の第２端から前記本体部の長手方向に滑脱することを防止する、
ことを特徴とする請求項１乃至７のうち何れか一項に記載のアダプター。
【請求項１０】
前記本体部の第２端に位置し、前記母乳保存袋を前記アダプターに固定するクリップが、前記本体部の第２端から前記本体部の長手方向に滑脱することを防止する第２保持構造、をさらに備える、
ことを特徴とする請求項１乃至７のうち何れか一項に記載のアダプター。
【請求項１１】
前記第２接続部は、全体の直径が、前記本体部の直径よりも大きい前記第２口径と等しく形成され、前記第２保持構造は、前記本体部の第２端と前記第２接続部との間に形成された段差である、
ことを特徴とする請求項１０に記載のアダプター。
【請求項１２】
前記段差の表面は、流線型をして形成される、
ことを特徴とする請求項１１に記載のアダプター。
【請求項１３】
前記本体部及び前記第１接続部は、前記第１口径と等しい直径を有する、
ことを特徴とする請求項１２に記載のアダプター。
【請求項１４】
請求項１乃至１３のうち何れか一項に記載のアダプターと、
前記母乳保存袋を搾乳器用接続構造に挟持固定するためのクリップと、
を備えることを特徴とする搾乳器用接続構造。
【請求項１５】
前記クリップは、クリップアームとハンドルとを含み、
前記クリップアームは、対向して設けられる左側クリップ本体と右側クリップ本体とを含み、前記左側クリップ本体と前記右側クリップ本体はいずれも弾性を有し、それぞれハンドルに連結されている、
ことを特徴とする請求項１４に記載の搾乳器用接続構造。
【請求項１６】
前記左側クリップ本体と前記右側クリップ本体は、それぞれ弧形をなすことにより、前記クリップアーム全体が、前記左側クリップ本体と前記右側クリップ本体との間において前記ハンドルを連結するための箇所にて切欠を有するＣ型構造になっている、
ことを特徴とする請求項１５に記載の搾乳器用接続構造。
【請求項１７】
前記ハンドルは、一端部が前記左側クリップ本体に連結され、他端部が前記右側クリップ本体に連結されるＵ型構造をなしており、前記ハンドルは弾性を有し、前記ハンドルを押すことで、前記左側クリップ本体と前記右側クリップ本体とが互いに離れていく、
ことを特徴とする請求項１６に記載の搾乳器用接続構造。
【請求項１８】
前記クリップは、前記母乳保存袋内のエアーを排出するためのエアー押圧部をさらに含み、前記エアー押圧部は、前記ハンドルの前記クリップアームが設けられた側とは反対側の端に位置するように前記ハンドルに設けられる、
ことを特徴とする請求項１５乃至１７のうち何れか一項に記載の搾乳器用接続構造。
【請求項１９】
前記エアー押圧部は、対向して設けられる２本の押圧脚部を含み、
２本の前記押圧脚部の間には、母乳保存袋を収容するための押圧隙間が形成されている、
ことを特徴とする請求項１８に記載の搾乳器用接続構造。
【請求項２０】
前記押圧脚部は弾性を有する、
ことを特徴とする請求項１９に記載の搾乳器用接続構造。
【請求項２１】
母乳保存袋が連結されている前記搾乳器を支持するための搾乳器支持台、をさらに備え、
前記搾乳器支持台は、支持本体が設けられている台座を備え、前記支持本体は、前記クリップを水平に保持できるように、その頂端が前記クリップの前記ハンドルに固定連結されている、
ことを特徴とする請求項１５乃至１７のうち何れか一項に記載の搾乳器用接続構造。
【請求項２２】
前記支持本体が支持ロッドである、
ことを特徴とする請求項２１に記載の搾乳器用接続構造。
【請求項２３】
接続部を有する搾乳器と、
前記第１接続部又は前記第２接続部が前記接続部と連結する請求項１４乃至２２のうち何れか一項に記載の搾乳器用接続構造と、
を備えることを特徴とする搾乳器アセンブリー。
【発明の詳細な説明】
【技術分野】
【０００１】
本発明は、搾乳器及び母乳保存袋を着脱可能に連結する搾乳器に用いるアダプターに関し、特に、２種類の異なる接続口径の搾乳器とフィットして連結できるアダプターに関する。本発明は、さらに、搾乳器用接続構造及び搾乳器アセンブリーに関する。
【背景技術】
【０００２】
搾乳器アセンブリーは、母乳を搾乳するための搾乳器と、搾乳器を連結するアダプターと、アダプターに繋がり、搾乳した母乳を収集するための母乳保存容器と、を備える。母乳保存容器は、一般的に、硬質のプラスチック製哺乳瓶又はポリ袋である。ポリ袋を母乳保存容器として用いていれば、母乳を収集した後すぐに封止して冷蔵庫に入れて冷蔵または冷凍保存することができ、母乳の保存や利用前の加熱をしやすい。既存のアダプター（例えば、特許文献１を参照）は一般筒状又は管状構造であり、搾乳器を連結するための基準径の上端開口部を有するとともに、母乳保存容器としてのポリ袋を連結するための下端開口部をも有する。アダプターの両側にてポリ袋を挟んで、母乳を収集したポリ袋がアダプターから脱落することを防止するクリップをさらに備える。
【先行技術文献】
【特許文献】
【０００３】
【特許文献１】特開２０１５−１１６４３１Ａ号公報
【発明の概要】
【発明が解決しようとする課題】
【０００４】
しかしながら、上述のような従来技術のアダプターは、その上端開口部の口径とフィットする１種類の口径の搾乳器をしか連結できない。しかし、実際に販売されている様々なブランドの搾乳器がアダプターに連結される部材の接続口径が異なっており、例えば、標準径と広口径に分けられている。このため、２種類の異なる接続口径の搾乳器を利用しようとしたり、２つの異なる口径のアダプターを用意しなければならず、無駄遣いを招く。一方、特許文献１に記載されたように、母乳保存袋をクリップで挟んでその脱落を防止する方式は、収集した母乳の重量にクリップが耐えない場合、母乳保存袋がアダプターから脱落する可能性が依然としてある。【０００５】
本発明は、２種類の異なる接続口径の搾乳器と連結することができるとともに、母乳保存袋に収集した通常１回の搾乳で搾乳された母乳を、母乳保存袋との連結を安定して保持できる搾乳器に用いるアダプターを提供することがその目的の一つである。本発明は、搾乳器用接続構造及び搾乳器アセンブリーをさらに提供する。
【課題を解決するための手段】
【０００６】
上述した少なくとも１つの課題を解決するために、本発明の一態様によれば、搾乳器に用いるアダプターであって、中空の管状に形成される本体部と、中空の管状に形成される第１口径を有する第１接続部であって、前記本体部の第１端に設けられ、搾乳器及び母乳保存袋のうちいずれか一方に連結される第１接続部と、中空の管状に形成される前記第１口径よりも大きい第２口径を有する第２接続部であって、前記本体部の第２端に設けられ、搾乳器及び母乳保存袋のうちの他方に連結される第２接続部と、前記本体部の外面に位置し、前記母乳保存袋を前記アダプターに固定するクリップが、前記本体部の第１端から前記本体部の長手方向に滑脱することを防止する第１保持構造と、を備えることを特徴とするアダプターが提供される。【０００７】
上記アダプターにおいて、さらに、前記第１保持構造は、第１接続部に近接して設けられる。【０００８】
上記アダプターにおいて、さらに、前記第１接続部の外面に第１ネジが設けられ、及び／又は、前記第２接続部の外面に第２ネジが設けられる。
上記アダプターにおいて、さらに、前記第１保持構造は、前記本体部の外面に形成された突起である。【０００９】
上記アダプターにおいて、さらに、前記突起は、前記外面の周方向に延びる連続的な凸条である。【００１０】
上記アダプターにおいて、さらに、前記本体部の第１端の前記外面上には、並列に延びる前記凸条が２本設けられるとともに、前記クリップを保持するように、２本の前記凸条間の距離が前記クリップの幅に適応している。【００１１】
上記アダプターにおいて、さらに、前記突起は、前記外面の周方向に延びる断続的な凸条に形成される。【００１２】
上記アダプターにおいて、さらに、前記アダプターは、前記第１接続部の端口部から前記第２接続部の端口部まで延びる円錐台形状に形成される。【００１３】
上記アダプターにおいて、さらに、前記第１保持構造は、さらに、前記母乳保存袋を前記アダプターに固定するクリップが、前記本体部の第２端から前記本体部の長手方向に滑脱することを防止する。【００１４】
上記アダプターにおいて、さらに、前記アダプターは、前記本体部の第２端に位置し、前記母乳保存袋を前記アダプターに固定するクリップが、前記本体部の第２端から前記本体部の長手方向に滑脱することを防止する第２保持構造、をさらに備える。【００１５】
上記アダプターにおいて、さらに、前記第２接続部は、全体の直径が、前記本体部の直径よりも大きい前記第２口径と等しく形成され、前記第２保持構造は、前記本体部の第２端と前記第２接続部との間に形成された段差である。【００１６】
上記アダプターにおいて、さらに、前記段差の表面は、流線型をして形成される。
上記アダプターにおいて、さらに、前記本体部及び前記第１接続部は、前記第１口径と等しい直径を有する。【００１７】
上述した少なくとも１つの課題を解決するために、本発明の一態様によれば、上述した何れか一方のアダプターと、前記母乳保存袋を搾乳器用接続構造に挟持固定するためのクリップと、を備えることを特徴とする搾乳器用接続構造が提供される。【００１８】
上記搾乳器用接続構造において、さらに、前記クリップは、クリップアームとハンドルとを含み、前記クリップアームは、対向して設けられる左側クリップ本体と右側クリップ本体とを含み、前記左側クリップ本体と前記右側クリップ本体はいずれも弾性を有し、それぞれハンドルに連結されている。【００１９】
上記搾乳器用接続構造において、さらに、前記左側クリップ本体と前記右側クリップ本体は、それぞれ弧形をなすことにより、前記クリップアーム全体が、前記左側クリップ本体と前記右側クリップ本体との間において前記ハンドルを連結するための箇所にて切欠を有するＣ型構造になっている。【００２０】
上記搾乳器用接続構造において、さらに、前記ハンドルは、一端部が前記左側クリップ本体に連結され、他端部が前記右側クリップ本体に連結されるＵ型構造をなしており、前記ハンドルは弾性を有し、前記ハンドルを押すことで、前記左側クリップ本体と前記右側クリップ本体とが互いに離れていく。【００２１】
上記搾乳器用接続構造において、さらに、前記クリップは、前記母乳保存袋内のエアーを排出するためのエアー押圧部をさらに含み、前記エアー押圧部は、前記ハンドルの前記クリップアームが設けられた側とは反対側の端に位置するように前記ハンドルに設けられる。【００２２】
上記搾乳器用接続構造において、さらに、前記エアー押圧部は、対向して設けられる２本の押圧脚部を含み、２本の前記押圧脚部の間には、母乳保存袋を収容するための押圧隙間が形成されている。【００２３】
上記搾乳器用接続構造において、さらに、前記押圧脚部は弾性を有する。【００２４】
上記搾乳器用接続構造において、さらに、前記搾乳器用接続構造は、母乳保存袋が連結されている前記搾乳器を支持するための搾乳器支持台、をさらに備え、前記搾乳器支持台は、支持本体が設けられている台座を備え、前記支持本体は、前記クリップを水平に保持できるように、その頂端が前記クリップの前記ハンドルに固定連結されている。【００２５】
上記搾乳器用接続構造において、さらに、前記支持本体が支持ロッドである。【００２６】
上述した少なくとも１つの課題を解決するために、本発明の一態様によれば、接続部を有する搾乳器と、前記第１接続部又は前記第２接続部が前記接続部と連結する上述した何れか一方の搾乳器用接続構造と、を備えることを特徴とする搾乳器アセンブリーが提供される。
【発明の効果】
【００２７】
本発明の実施形態によれば、搾乳器に用いるアダプターの両端部にそれぞれ異なる口径を有する第１接続部と第２接続部とを設けることで、異なる接続口径の搾乳器と連結することができる。アダプターの外面にクリップを保持するための保持構造を設けることによって、母乳保存袋を固定するためのクリップがアダプターから滑脱することを防止し、母乳保存袋に収集した通常１回の搾乳で搾乳された母乳を、アダプターと母乳保存袋との連結を安定して保持することができる。さらに、クリップにエアー押圧部を設けていれば、利用者は、他の道具を別途用意することなく、クリップを用いた母乳保存袋内のエアー排出が便利にできる。また、搾乳器支持台を設けることで、利用者が搾乳器及び関連部材を安定して載置しやすくなる。
【図面の簡単な説明】
【００２８】
本願の一部を構成する図面は、本発明をさらに理解させるためのものであり、また、本発明における概念的実施例及びその説明は本発明を説明するためのものであり、本発明を不当に限定するものではない。図面において、
【図１】本発明の第１実施形態における搾乳器アセンブリーの斜視図である。
【図２】本発明の第１実施形態におけるアダプターの斜視図である。
【図３】本発明の第１実施形態におけるクリップの斜視図である。
【図４】本発明の第１実施形態におけるクリップがアダプターの外面に挟持して保持されることを示す図である。
【図５】本発明の他の実施形態におけるアダプターの斜視図である。
【図６】本発明の他の実施形態におけるクリップの斜視図である。
【図７】本発明の他の実施形態におけるクリップの斜視図である。
【図８】本発明の他の実施形態における支持台の斜視図である。
【図９】本発明の第１実施形態における他の例のクリップの斜視図である。
【図１０Ａ】本発明の第１実施形態における他の例の第１保持構造の斜視図である。
【図１０Ｂ】クリップが図１０Ａにおける第１保持構造を挟持している状態を示す図である。
【発明を実施するための形態】
【００２９】
以下、本発明による搾乳器に用いるアダプター、搾乳器用接続構造、及び搾乳器アセンブリーの実施形態について、図面を参照しながら説明する。なお、以下で説明する実施形態は、本発明の具体例であり、本発明の技術範囲を限定するものではない。衝突しない限り、本願の実施例及び実施例中の構成要件を組み合わせることができる。
【００３０】
＜第１実施形態＞
［搾乳器アセンブリーの全体構成］
本発明の第１実施形態による搾乳器アセンブリー１００について説明する。
図１に示すように、搾乳器アセンブリー１００は、通常、母乳を搾乳する搾乳器２０と、搾乳器２０に連結されるアダプター１０と、母乳保存袋５０と、を備え、母乳保存袋５０は、アダプター１０に連結され、搾乳した母乳を収集するためのものであり、一般的には、可撓性ポリ袋が使われ、搾乳器アセンブリー１００は、母乳保存袋５０をアダプター１０に安定して保持する保持部材、本実施形態ではクリップ３０をさらに備える。
【００３１】
［搾乳器］
母乳を搾乳する搾乳器２０は、本分野にて周知されるものであり、乳房上にフィットするフード部と、フード部に連結されてフード部内に真空（負圧）を生成する真空ポンプとを備えてもよく、さらに、後述するアダプター１０と連結する搾乳器接続部を備えてもよい。真空ポンプは、手動真空ポンプ（例えば、手持ち型ピストンポンプ）であるか、電動モーターにより駆動されるとともに配管を介してフード部に連通する電動真空ポンプであってもよい。真空ポンプは、フード部に圧力を間欠的に発生させ、最も代表的には、真空（又は負圧）を発生させ、これにより、乳房の引っ張り及び／又は搾りを行うための吸引動作を間欠的に発生させ、母乳を搾り出す。搾り出した母乳は、保存又は将来の使用のために、通常、フード部から搾乳器接続部と連結するアダプター１０を介して、ビン又はバッグ等の母乳保存容器５０に流入する。搾乳器接続部は、通常、液体通路を有する管状又は円筒状構造になっている。そして、搾乳器のモデルによって、搾乳器接続部の口径は標準径であってもよいし、広口径であってもよい。搾乳器接続部とアダプター１０との連結形態は、例えば、螺合、締結等、適切な形態であればよい。
【００３２】
アダプター１０は、搾乳器２０に着脱可能に連結されている。また、本発明において、母乳保存袋を母乳保存容器５０として用いる。
［アダプター］
図１と図２に示すように、アダプター１０は、搾乳器２０と母乳保存容器５０とを連結するとともに、搾乳器２０で搾乳した母乳を母乳保存容器５０に導くためのものであり、アダプター１０は、２種類の異なる搾乳器接続部の口径を有する搾乳器２０に連結されることができる。
【００３３】
本発明におけるアダプター１０は、中空の管状又は円筒状に形成され、母乳等の液体を導くことに適した本体部１４を備える。
【００３４】
アダプター１０は、中空の管状又は円筒状に形成され、前記本体部１４の第１端に設けられる第１口径を有する第１接続部１１をさらに備えてもよく、この第１接続部１１は、第１接続口径を有する搾乳器２０と連結することに適している。そして、第１接続部１１は、搾乳器２０とフィットするコネクタ形態を有し、例えば、第１接続部１１の外面にはネジ、締結部品等が設けられている。
【００３５】
さらに、アダプター１０は、中空の管状に形成され、前記本体部１４の第２端に設けられる第２口径を有する第２接続部１２をさらに備えてもよく、この第２接続部１２は、第２接続口径を有する搾乳器２０と連結することに適している。そして、第２接続部１２は、搾乳器２０とフィットするコネクタ形態を有し、例えば、第２接続部１２の外面にはネジ、締結部品等が設けられている。
【００３６】
本実施形態において、説明の便宜上、第１口径を標準径とし、第２口径を広口径とし、第２口径が第１口径よりも大きいとする。しかし、本発明では、第２口径が、基準径である第１口径よりも大きいとは限らず、標準径である第１口径よりも小さく形成されてもよく、本発明の思想に応じてアダプター１０及び関連構造を変形させればよい。
【００３７】
第１接続部１１及び第２接続部１２は、さらに、後述する母乳保存袋５０と連結することに適している。母乳保存袋５０の連結には、第１接続部１１を用いて搾乳器２０と連結していれば、第２接続部１２を用いて母乳保存袋５０と連結することになり、逆に、第２接続部１２を用いて搾乳器２０と連結していれば、第１接続部１１を用いて母乳保存袋５０と連結することになる。
【００３８】
また、本実施形態において、図２に示すように、アダプター１０は、その本体部１４が第１接続部１１と同一の断面直径を有するとともに、第１接続部１１の端口から本体部１４に延びる円筒状構造になっている。そして、第２接続部１２は、その端口部から本体部１４に一定の長さだけ延びる円筒状構造であり、この長さの範囲内の円筒状構造は、第２接続部１２の口径と等しい断面直径を有する。これにより、本体部１４と第２接続部１２との連結箇所にて段差１６が形成される。本実施形態において、この段差１６は、外面が流線型をして形成される。しかし、本発明はこれには限定されず、この段差１６は、本体部１４の直径から第２接続部１２の直径へと急に変わる構造としてもよい。
【００３９】
さらに、アダプター１０は、前記本体部１４の外面に位置し、母乳保存袋５０をアダプター１０に固定する後述するクリップ３０が、本体部１４の円筒の中心軸の軸方向（つまり、本体部１４の長手方向）に滑脱することによって、クリップ３０に挟持された母乳保存袋５０が本体部１４から脱落することを防止するための第１保持構造１３、をさらに備えてもよい。
【００４０】
本実施形態において、第１保持構造１３は、本体部１４の第１接続部１１に近接した場所に設けられ、つまり、第１保持構造１３は、第１接続部１１の端口部からの距離が、第２接続部１２の端口部からの距離よりも小さく形成される。このようにして、第１保持構造１３は、第２接続部１２を用いて搾乳器２０と連結しながら、第１接続部１１を用いて母乳保存袋５０と連結する場合、母乳保存袋５０をアダプター１０に固定するクリップ３０が、本体部１４の第１端から本体部１４の円筒の中心軸の軸方向（つまり、本体部１４の長手方向）に滑脱することを防止するように作用する。一方、第１接続部１１を用いて搾乳器２０と連結しながら、第２接続部１２を用いて母乳保存袋５０と連結する場合、上記段差１６は、母乳保存袋５０をアダプター１０に固定するクリップ３０が、本体部１４の第２端から本体部１４の円筒の中心軸の軸方向（つまり、本体部１４の長手方向）に滑脱することを防止する第２保持構造を構成する。
【００４１】
本実施形態において、第１保持構造１３は、本体部１４の外面に形成された突起になっている。この突起は、本体部１４の外面からこの外面に垂直な方向に沿って一定の幅を有し、この幅は後述するクリップ３０を安定して保持することに適している。突起は、多様な方式で設けてもよい。例えば、アダプター１０を鉛直に置いて見る場合、突起は、本体部１４の外面に同一の高さで均一に設けられた複数の非連続的なものになり、突起は、また、前記外面の周方向に延びる連続する凸条になってもよい。
【００４２】
また、第１保持構造１３は、本体部１４の外面上にて、並列に延びる２本の凸条を設ける構成としてもよい。図１０Ａに示すように、第１保持構造１３は、上凸条１３ａと下凸条１３ｂを備え、クリップ３０を保持するように上凸条１３ａと下凸条１３ｂの間の距離はクリップ３０の幅に適応する。図１０Ｂに示すように、第１保持構造１３を採用してクリップ３０を保持させる場合、クリップ３０は上凸条１３ａと下凸条１３ｂとの間により安定に保持できます。
【００４３】
本発明の第１保持構造１３の配置は上述した様々な方式には限定されず、本発明の思想に応じてクリップ３０を保持するものであればよい。
【００４４】
また、第２保持構造は、第１保持構造１３の構造のように設けてもよい。例えば、第２保持構造、本体部１４の外面に形成された突起１７になっている。この突起１７は、本体部１４の外面からこの外面に垂直な方向に沿って一定の幅を有し、この幅は後述するクリップ３０を安定して保持することに適している。突起１７は、多様な方式で設けてもよい。例えば、アダプター１０を鉛直に置いて見る場合、突起１７は、本体部１４の外面に同一の高さで均一に設けられた複数の非連続的なものになり、突起１７は、また、前記外面の周方向に延びる連続する凸条になってもよい。また、本体部１４の外面上にて、並列に延びる２本の凸条を設けるとともに、クリップ３０を保持するように２本の凸条間の距離がクリップ３０の幅に適応する構成としてもよい。
【００４５】
［母乳保存袋］
母乳保存袋５０は、例えば、ポリエチレン等の食品と相溶性のあるプラスチックからなる母乳保存袋等、本分野に知られている様々な母乳保存袋を用いてもよく、その材質が一般的に、柔らかくて、開状態では袋内部を通じたり、閉状態では袋を封止したりする再封可能又は再閉可能な封止部材を有し、例えば、封止部材が「ファスナー」型閉鎖部材又はその等価物である。
【００４６】
開状態において、アダプター１０の搾乳器２０が連結されていない一端が、母乳保存袋５０に適当な長さだけ挿入し、この長さは、搾乳した母乳が、連結箇所から溢れ出ることなく、アダプター１０を介して母乳保存袋５０に導かされることに適している。
【００４７】
母乳保存袋５０は、材質が柔らかいため、母乳が流れ込むときにアダプター１０に安定して連結されることができるように、一般的には、補助手段によりアダプター１０に保持される必要がある。挟持によりその位置を規定してもよい。本発明において、後述するクリップ３０を用いて母乳保存袋５０をアダプター１０に連結させ、母乳保存袋５０がアダプター１０から滑脱することを回避する。
【００４８】
［クリップ］
上述したように、クリップ３０を用いて母乳保存袋５０をアダプター１０の外面に保持している。クリップ３０は、母乳保存袋５０を挟持するとともに、安定的な挟持を可能にするために、アダプター１０の外部形状とフィットしているべきである。クリップ３０は、
さらに、母乳保存袋５０のアダプター１０からの着脱を簡便にするように構成されるべきである。図３に示すように、このようなクリップ３０は、クリップアームとハンドル３１とを含む。クリップアームは、対向して設けられる左側クリップ本体３２と右側クリップ本体３３とを含み、左側クリップ本体３２と右側クリップ本体３３はいずれも弾性を有し、それぞれハンドル３１に連結されている。アダプター１０の外部形状とフィットするために、左側クリップ本体３２と右側クリップ本体３３は、それぞれ弧形をなすことにより、クリップアーム全体が、左側クリップ本体３２と右側クリップ本体３３との間において前記ハンドル３１を連結するための箇所にて切欠を有するＣ型構造になっていることが好ましい。
【００４９】
ハンドル３１は、一端部が左側クリップ本体３２に連結され、他端部が右側クリップ本体３３に連結されるＵ型構造をなしており、ハンドル３１は弾性を有し、そして、利用者がハンドル３１のＵ型構造を押してＵ型構造の開口部に圧力を付与する場合、モーメントによって左側クリップ本体３２と右側クリップ本体３３とが互いに離れていくことにより、Ｃ型構造の開口部が開けられる。
【００５０】
ハンドル３１の構造は、これには限定されない。例えば、通常の洗濯バサミに類似した構造としてもよい。図９に示すように、ハンドルの末端同士が連結されておらず、つまり、左側クリップ本体３２とそれに繋がるハンドルとが一体になっているとともに、右側クリップ本体３３とそれに繋がるハンドルとが一体になっており、両部分はハンドルの末端にて切り離され、ハンドルの末端に近い部分にバネが設けられ、ハンドルの外側を押すことでバネに力をかけ、バネの弾性力によって、左側クリップ本体３２および右側クリップ本体３３が開かれる。このような構造において、クリップ３０の左側クリップ本体３２および右側クリップ本体３３がアダプター１０の形状に合うように、左側クリップ本体３２および右側クリップ本体３３もそれぞれ弧形をなしている。
【００５１】
図４に示すように、本実施形態において、第１接続部１１を用いて搾乳器２０と連結しながら、第２接続部１２を用いて母乳保存袋５０と連結する場合、クリップ３０は、アダプター１０の段差１６に係合し、つまり、段差１６から構成される第２保持構造は、クリップ３０がアダプター１０の軸方向（つまり、本体部１４の長手方向）に沿って第２接続部１２の端口部から滑脱することを防止する。
【００５２】
本実施形態において、第２接続部１２を用いて搾乳器２０と連結しながら、第１接続部１１を用いて母乳保存袋５０と連結する場合、クリップ３０は、アダプター１０の第１保持構造１３に係合し、つまり、第１保持構造１３は、クリップ３０がアダプター１０の軸方向（つまり、本体部１４の長手方向）に沿って第１接続部１１の端口部から滑脱することを防止する。
【００５３】
［技術効果］
上述したとおり、本発明は、２つの異なる口径の接続部を有するアダプターを構造することにより、２種類の異なる口径の搾乳器接続部を有する搾乳器と連結することができ、搾乳器に用いるアダプターの利用可能性を高め、口径が異なる接続口径を用いた搾乳器のために支出することを軽減する。そして、母乳保存袋を挟持するクリップの脱落を防止する保持部材をアダプターに設けることで、母乳保存袋自体の重量に影響されずに母乳保存袋を安定して保持することができる。
【００５４】
以上の説明は、搾乳器アセンブリー全体を例として行われている。なお、アダプター１０が搾乳器アセンブリーの他の部材と独立して存在してもよいし、アダプター１０とクリップ３０とがセットとなって、搾乳器アセンブリーの他の部材と独立して存在してもよい。
【００５５】
＜第２実施形態＞
以下、本発明の第２実施形態に係わる搾乳器アセンブリー１００について説明する。第２実施形態において、第１実施形態の搾乳器アセンブリー１００と同一の構造についてはその説明を省略するが、第１実施形態の搾乳器アセンブリー１００と異なる要素に重点を置いて説明する。そして、第１実施形態と同一の要素については、第１実施形態と同一の符号を付する。
【００５６】
本実施形態におけるアダプター１０は、第１実施形態のアダプター１０とは異なる構造になる。
本実施形態のアダプター１０も、本体部１４と、中空の管状又は円筒状に形成され、前記本体部１４の第１端に設けられる第１口径を有する第１接続部１１とを備え、この第１接続部１１は、第１接続口径を有する搾乳器２０と連結することに適している。そして、第１接続部１１は、搾乳器２０と連結するコネクタ形態を有し、例えば、第１接続部１１の外面にはネジ、締結部品等が設けられている。本実施形態において、第１接続部１１の外面には、全体として後述する第２接続部１２へ傾斜するネジが設けられることが好ましく、このように設けるのは、より多くの搾乳器２０との連結を可能にすることがその目的である。
【００５７】
さらに、アダプター１０は、中空の管状に構造され、前記本体部１４の第２端に設けられる第２口径を有する第２接続部１２をさらに備えてもよく、この第２接続部１２は、第２接続口径を有する搾乳器２０と連結することに適している。そして、第２接続部１２は、搾乳器２０と連結するコネクタ形態を有し、例えば、第２接続部１２の外面にはネジ、締結部品等が設けられている。
【００５８】
本実施形態において、第１実施形態と同様に、第１口径を標準径とし、第２口径を広口径とし、第２口径が第１口径よりも大きい。しかし、本発明では、第２口径が、いつも基準径である第１口径よりも大きいとは限らず、基準径である第１口径よりも小さく形成されてもよい。
【００５９】
第１実施形態と同様に、第１接続部１１及び第２接続部１２は、後述する母乳保存袋５０と連結することにも適している。
本実施形態において、図５に示すように、アダプター１０は、前記第１接続部１１の端口部から第２接続部１２の端口部に延びる円錐台形状構造になっている。
【００６０】
前記本体部１４の外面に位置し、母乳保存袋５０をアダプター１０に固定するクリップ３０が、本体部１４の軸方向（つまり、本体部１４の長手方向）に滑脱することによって、クリップ３０に挟持された母乳保存袋が本体部１４から脱落することを防止するための第１保持構造１３がアダプター１０の外面に設けられている。
【００６１】
本実施形態において、第１保持構造１３は、アダプター１０の長手方向の略中央部位に設けられ、第２接続部１２を用いて搾乳器２０と連結しながら、第１接続部１１を用いて母乳保存袋５０と連結する場合、クリップ３０が、本体部１４の第１端から軸方向（つまり、本体部１４の長手方向）に滑脱することを防止するように作用してもよいし、第１接続部１１を用いて搾乳器２０と連結しながら、第２接続部１２を用いて母乳保存袋５０と連結する場合、クリップ３０が、本体部１４の第２端から軸方向（つまり、本体部１４の長手方向）に滑脱することを防止する第２保持構造を兼ねて用いられてもよい。
【００６２】
上記構造において、第１保持構造１３は、第２保持構造を兼ねて作用する。しかし、本発明はこれには限定されない。例えば、第１実施形態のように、第１保持構造１３が本体部１４の第１接続部１１に近接した場所に設けられ、つまり、第１保持構造１３は、第１接続部１１の端口部からの距離が、第２接続部１２の端口部からの距離よりも小さく形成される。同時に、第２保持構造を、本体部１４の第２接続部１２に近接した場所に設け、つまり、第２保持構造は、第２接続部１２の端口部からの距離が、第１接続部１１の端口部からの距離よりも小さく形成される。
【００６３】
第１実施形態のように、本実施形態において、第１保持構造１３と第２保持構造１７は、いずれも本体部１４の外面に形成された突起になってもよい。この突起は、本体部１４の外面からこの外面に垂直な方向に沿って一定の幅を有し、この幅はクリップ３０を安定して保持することに適している。突起は、多様な方式で設けてもよい。例えば、アダプター１０を鉛直に置いて見る場合、突起は、本体部１４の外面に同一の高さで均一に設けられた複数の非連続的なものになり、突起は、また、前記外面の周方向に延びる連続する凸条になってもよい。また、第１保持構造１３と第２保持構造１７は、いずれも本体部１４の外面に並列に延びる２本の凸条として形成されるとともに、クリップ３０を保持するように２本の凸条間の距離がクリップ３０の幅に適応する構成としてもよい。また、第１保持構造１３と第２保持構造とが、同一の構造であるとは限らず、それぞれ異なる構造としてもよい。
【００６４】
第２実施形態による搾乳器アセンブリー１００は、第１実施形態と同一の搾乳器２０、母乳保存袋５０、及びクリップ３０を有する。
【００６５】
＜第３実施形態＞
以下、本発明の第３実施形態に係わる搾乳器アセンブリー１００について説明する。第３実施形態において、第１実施形態及び第２実施形態の搾乳器アセンブリー１００と同一の構造についてはその説明を省略するが、第１実施形態及び第２実施形態の搾乳器アセンブリー１００と異なる要素に重点を置いて説明する。そして、同一の要素については、同一の符号を付する。
【００６６】
第３実施形態による搾乳器アセンブリー１００は、クリップ３０以外に第１実施形態及び第２実施形態の搾乳器アセンブリー１００と同じように構成されるため、クリップ３０以外の構成要素に関する説明を省略する。
【００６７】
第１実施形態におけるクリップ３０のように、本実施形態において、クリップ３０は、クリップアームとハンドル３１とを含み、クリップアームの構造が、第１実施形態におけるクリップアームの構造と同じである。ハンドル３１は、一端がクリップアームに連結され、他端に母乳保存袋５０内のエアーを排出するためのエアー押圧部が設けられている。ハンドル３１のクリップアームが連結されている一端も、第１実施形態と同様に、一端部が左側クリップ本体３２に連結され、他端部が右側クリップ本体３３に連結されるＵ型構造をなしており、ハンドル３１は弾性を有し、そして、利用者がハンドル３１のＵ型構造を押してＵ型構造の開口部に圧力を付与する場合、モーメントによって左側クリップ本体３２と右側クリップ本体３３とが互いに離れていくことにより、Ｃ型構造の開口部が開けられる。
【００６８】
図６に示すように、エアー押圧部は、ハンドル３１のクリップアームとは反対側の端に位置し、エアー押圧部は、対向して設けられる２本の押圧脚部３４を含み、２本の押圧脚部３４の間には、母乳保存袋５０を収容するための押圧隙間が形成されている。押圧脚部３４は、弾性を有する材料が用いられ、ハンドル３１及びクリップアームと同一の材料を用いてもよいし、ハンドル３１及びクリップアームと異なる材料を用いてもよい。
【００６９】
押圧脚部３４とハンドル３１との連結箇所は一体成形されてもよいし、別体成形されてもよく、ネジ等、一般的な固定方式により連結されている。押圧脚部３４とハンドル３１及びクリップアームとが同一の平面に形成されるとともに、それぞれの中心軸線が１つの直線にある構成としてもよい。
【００７０】
個々の押圧脚部３４は、扁平の細いスリット形状に形成されてもよいし、長尺状の四角柱形状に形成されてもよいが、これには限定されず、エアー押圧に適していればよい。
【００７１】
使用時に、例えば、搾乳完了して母乳保存袋５０をアダプター１０から取り外した後、図６に示すように、母乳保存袋５０の母乳よりも上方の部分を、方向Ａに沿って、エアー押圧部の押圧脚部３４間の押圧隙間に挿し込み、方向Ｂに沿って、エアー押圧部を回動して、母乳保存袋５０の母乳よりも上方の部分を挟んだままに適切な角度で回動して、２本の押圧脚部３４間の隙間を小さくし、押す状態に保持され、母乳保存袋に沿ってエアー押圧部を母乳保存袋の口部方向へ、即ち方向Ｃへ、スライドし、エアー押圧部を母乳保存袋の口部から脱離させることにより、母乳保存袋の母乳よりも上方のエアーを排出し、その後、母乳保存袋５０を封止する。その過程において、利用者が２本の押圧脚部３４の外側を指で押して、２本の押圧脚部３４間の隙間をより小さくすることが好ましい。
【００７２】
さらに、２本の押圧脚部３４の互いに対向する面上には、それぞれ対応する位置にて押圧脚部３４の長手方向に延びる１本又は複数本の突起リブが設けられてもよく、この対応する位置とは、２本の押圧脚部３４の外部に圧力を付勢して２本の押圧脚部３４を共に貼り合わせる場合、両側のリブが対応して閉鎖されるようになる位置を指す。このようなリブを設けることで、エアー押圧部を用いてエアー押圧を行う場合、母乳保存袋５０の押圧をより密に行って、より多くのエアーを押し出すことができる。
【００７３】
＜第４実施形態＞
以下、本発明の第４実施形態に係わる搾乳器アセンブリー１００について説明する。第４実施形態において、第１実施形態及び第２実施形態の搾乳器アセンブリー１００と同一の構造についてはその説明を省略するが、第１実施形態及び第２実施形態の搾乳器アセンブリー１００と異なる要素に重点を置いて説明する。そして、同一の要素については、同一の符号を付する。
【００７４】
第４実施形態による搾乳器アセンブリー１００は、クリップ以外に第１実施形態及び第２実施形態の搾乳器アセンブリー１００と同じように構成されるため、クリップ以外の構成要素に関する説明を省略する。
【００７５】
第１実施形態におけるクリップ３０のように、本実施形態において、クリップ４０は、クリップアームとハンドル３１とを含み、クリップアームの構造が、第１実施形態におけるクリップアームの構造と同じであるが、材質のみが異なっている。
【００７６】
具体的には、クリップ４０は、挟持する方向（図７の上下方向）の外側の部材４１に比べ、内側の部材４２が柔軟性を有する材質を用いて形成される。例えば、外側の部材４１はＡＢＳ樹脂などであり、内側の部材４２は外側の部材４１の材質より柔軟性と弾力性のあるシリコーンゴムから形成され、このように、クリップ４０が２種類の材質で製作される。
【００７７】
このような構成により、例えば、挟持された母乳保存袋５０の注入口に波紋が生成されるなどし、その形態がクリップ４０の内側の部材４２と多少異なっているが、柔軟性を有する内側の部材４２が変形して、挟持された母乳保存袋５０の形状に合った挟持が可能となる。従って、クリップ４０による重力方向と交差する方向の母乳保存袋５０の挟持を確実なものとして、母乳保存袋５０がアダプター１０から脱落することをより有効に防止できる。また、内側の部材４２が柔軟性を有することで、母乳保存袋５０の損傷も防止できる。
【００７８】
本実施形態において、クリップ４０全体が、上述のように、２種類の材質で製作され、つまり、クリップ４０の内壁（即ち、クリップ４０の挟持された母乳保存袋５０に向く部位）を、クリップ４０の外側よりも柔軟性を有する材質で形成する。しかし、本発明はこれには限定されず、クリップ壁部のみを上述のような２種類の硬度が異なる材質で形成しながら、ハンドル３１を１種類の材質で形成するようにしてもよい。
【００７９】
＜第５実施形態＞
以下、本発明の第５実施形態に係わる搾乳器アセンブリー１００について説明する。第５実施形態において、上述した実施形態の搾乳器アセンブリー１００と同一の構造についてはその説明を省略するが、上述した実施形態の搾乳器アセンブリー１００と異なる要素に重点を置いて説明する。そして、同一の要素については、同一の符号を付する。
【００８０】
第５実施形態による搾乳器アセンブリー１００は、第１実施形態の搾乳器アセンブリー１００と同じように、或いは第２実施形態の搾乳器２０と同じように構成されるため、搾乳器２０、アダプター１０、クリップ３０、及び母乳保存袋５０に関する説明を省略する。
本実施形態において、搾乳器アセンブリー１００は、母乳保存袋５０が連結された搾乳器２０を支持するための搾乳器支持台、をさらに備える。図８に示すように、搾乳器支持台は、上部に支持本体３６が設けられている台座３５を含み、前記支持本体３６の上部頂端がクリップ３０に連結されるとともに、クリップ３０の左側クリップ本体３２と右側クリップ本体３３が同一の水平面にあるようにクリップ３０を水平に保持する。
【００８１】
台座３５は、適切な構造を用いて適切な重量を有するので、搾乳器２０が載置された後に搾乳器アセンブリー１００を安定して保持することができる。図８に示すように、台座３５は、Ｃ型形状の底盤形状とすることが好ましい。
【００８２】
支持本体３６は、台座３５の上部に設けられ、台座３５と一体成形されてもよいし、ネジ、リベット等の固定方式により台座３５の上部に固定され、負荷を安定して支持できる位置に設けられてもよい。例えば、台座３５がＣ型形状の底盤形状とされる場合、支持本体３６がＣ型の輪郭の中央位置に設けられる。支持本体３６は、弧形を帯びた板状又は柱状に設けられてもよく、その高さは、母乳保存袋５０の長さと略同一である。本発明において、支持本体３６は、支持ロッドとすることが好ましい。
【００８３】
上述したように、クリップ３０のハンドル３１が、支持本体３６の上部頂端に連結されており、螺接又は鋲接によりクリップ３０を支持本体３６の上部頂端に連結してもよい。この連結は、永久の固定連結であってもよいし、着脱可能な連結であってもよい。
【００８４】
なお、どのような連結方式にしても、支持本体３６は、クリップ３０の左側クリップ本体３２と右側クリップ本体３３が同一の水平面にあるようにクリップ３０を水平に保持する構成とするべきである。本発明において、クリップ３０を、係合部材を介して支持本体３６と着脱可能に連結する構成とする。
【００８５】
搾乳器支持台は、搾乳器アセンブリー１００を様々な方式により保持することができる。例えば、搾乳器アセンブリー１００を組み立てていない場合、アダプター１０をクリップ３０で挟持してアダプター１０を保持する。搾乳器２０とアダプター１０を組み立てている場合、アダプター１０をクリップ３０で挟持して、搾乳器２０が連結されているアダプター１０を保持する。さらに、搾乳器２０、アダプター１０及び母乳保存袋５０が連結されてアダプター１０をクリップ３０で挟持することで母乳保存袋５０を保持する場合、搾乳器アセンブリー１００全体を保持することができる。
【００８６】
以上は、本発明の好適な実施例に過ぎず、本発明を限定することは意図していない。当業者であれば、本発明に様々な変更や変形が可能である。本発明の思想や原則内の如何なる修正、均等の置き換え、改良なども、本発明の保護範囲内に含まれるべきである。
【符号の説明】
【００８７】
１０…アダプター、１１…第１接続部、１２…第２接続部、１３…第１保持構造、１４…本体部、２０…搾乳器、３０…クリップ、３１…ハンドル、３２…左側クリップ本体、３３…右側クリップ本体、３４…押圧脚部、３５…台座、３６…支持本体、５０…母乳保存袋、１００…搾乳器アセンブリー。
【図１】
2018139554.tif 000003
【図２】
2018139554.tif 000004
【図３】
2018139554.tif 000005
【図４】
2018139554.tif 000006
【図５】
2018139554.tif 000007
【図６】
2018139554.tif 000008
【図７】
2018139554.tif 000009
【図８】
2018139554.tif 000010
【図９】
2018139554.tif 000011
【図１０Ａ】
2018139554.tif 000012
【図１０Ｂ】
2018139554.tif 000013
【国際調査報告】
2018139554.tif 000014
2018139554.tif 000015
2018139554.tif 000016
2018139554.tif 000017